【手続補正書】
【提出日】平成28年9月9日(2016.9.9)
【手続補正１】
【補正対象書類名】明細書
【補正対象項目名】００８１
【補正方法】変更
【補正の内容】
【００８１】
本発明の範囲及び趣旨から逸脱することなく本発明に予測可能な改変及び変更を行い得ることは当業者には明らかであろう。本発明は、説明を目的として本出願に記載される実施形態に限定されるべきではない。本明細書において参照により援用されている仕様と開示とで不一致及び矛盾が存在する限りでは、本仕様によって制せられるものとする。
以下に、本願発明に関連する発明の実施形態について列挙する。
［実施形態１］
高フッ素化ポリマーの製造方法であって、
（ｉ）水性乳化重合にて重合性フッ素化乳化剤の存在下で１種以上の過フッ素化モノマーを重合して前記高フッ素化ポリマーを形成する工程であって、前記重合性フッ素化乳化剤が次式：
Ｘ２Ｃ＝ＣＸ（ＣＦ２）ｍ（ＣＨ２）ｎ［Ｏ−（ＣＸ２）ｐ］ｑ−［Ｏ−（ＣＸ２）ｒ］ｓ−［Ｏ−（ＣＸ２−ＣＸ２）］ｔ−［（Ｏ）ｗ−（ＣＸ２）ｕ］ｖ−［ＣＨ２］ｚ−Ｙ
（式中、Ｘは独立にＨ、Ｆ、又はＣＦ３から選択され、ＹはＣＯＯＭ又はＳＯ３Ｍであり、ＭはＨ、アルカリ金属又はＮＨ４であり、ｍは０〜５であり、ｎは０〜５であり、ｐは少なくとも１であり、ｑは０〜５であり、ｒは０〜５であり、ｓは０〜５であり、ｔは０〜５であり、ｕは０〜５であり、ｖは０〜５であり、ｗは０又は１であり、かつｚは０〜５であり、ｍ、ｎ、ｑ、ｓ、ｔ、ｕ、ｖ、及びｚのうちの少なくとも１つは少なくとも１であり、前記重合性フッ素化乳化剤（ａ）は少なくとも１つのフッ素原子を含み、（ｂ）はテロゲン活性を実質的に有さず、かつ（ｃ）は使用されるモノマーの総重量を基準として１重量％未満である）を有する工程と、
（ｉｉ）前記高フッ素化ポリマーを単離する工程と、
（ｉｉｉ）単離された高フッ素化ポリマーをポストフッ素化する工程と、
を含む、高フッ素化ポリマーの製造方法。
［実施形態２］
前記重合性フッ素化乳化剤が過フッ素化されている、実施形態１に記載の方法。
［実施形態３］
前記重合性フッ素化乳化剤が、
ＣＦ２＝ＣＦ−（ＣＦ２）ｍ−Ｏ−（ＣＦ２）ｐ−［Ｏ−（ＣＦ２）ｒ］ｓ−Ｙ （ＩＩ）
ＣＦ２＝ＣＦ−（ＣＦ２）ｍ−Ｏ−（ＣＦ２）ｐ−［Ｏ−（ＣＦ（ＣＦ３）−ＣＦ２）］ｔ−［Ｏ−ＣＦ（ＣＦ３）］ｖ−Ｙ （ＩＩＩ）、及び
ＣＸ２＝ＣＸ−（ＣＦ２）ｍ−Ｙ （ＩＶ）
（式中、Ｘは独立にＨ、Ｆ、又はＣＦ３から選択され、ＹはＣＯＯＭ又はＳＯ３Ｍであり、ｍは０〜５から選択される整数であり、ｐは少なくとも１であり、ｒは０〜５から選択される整数であり、ｓは１〜５から選択される整数であり、ｔは１〜５から選択される整数であり、ｖは１〜５から選択される整数であり、かつＭはＨ、アルカリ金属、又はＮＨ４である）からなる群から選択される、実施形態１に記載の方法。
［実施形態４］
前記重合が非テロゲン性乳化剤を実質的に含まない、実施形態１〜３のいずれか一項に記載の方法。
［実施形態５］
前記重合が非テロゲン性フッ素化乳化剤を実質的に含まない、実施形態１〜４のいずれか一項に記載の方法。
［実施形態６］
前記重合性フッ素化乳化剤が前記重合中ずっと添加される、実施形態１〜５のいずれか一項に記載の方法。
［実施形態７］
前記重合性フッ素化乳化剤の量が、前記使用される過フッ素化モノマーの量を基準として少なくとも５０ｐｐｍで、かつ５０００ｐｐｍ以下である、実施形態１〜６のいずれか一項に記載の方法。
［実施形態８］
前記重合性フッ素化乳化剤がマイクロエマルションを形成する、実施形態１〜７のいずれか一項に記載の方法。
［実施形態９］
前記過フッ素化モノマーが、テトラフルオロエチレン、ヘキサフルオロプロピレン、ペルフルオロアルコキシアルケン、ペルフルオロアルキルビニルエーテル、ペルフルオロアルコキシビニルエーテル、ＭＶ４Ｓ、ＭＶ５ＣＮ、及びこれらの組み合わせからなる群から選択される、実施形態１〜８のいずれか一項に記載の方法。
［実施形態１０］
前記高フッ素化ポリマーがフッ素樹脂である、実施形態１〜９のいずれか一項に記載の方法。
［実施形態１１］
水性混合物であって、
過フッ素化モノマー及び重合性フッ素化乳化剤の重合生成物を含み、前記重合性フッ素化乳化剤が、次式：
Ｘ２Ｃ＝ＣＸ（ＣＦ２）ｍ（ＣＨ２）ｎ［Ｏ−（ＣＸ２）ｐ］ｑ−［Ｏ−（ＣＸ２）ｒ］ｓ−［Ｏ−（ＣＸ２−ＣＸ２）］ｔ−［（Ｏ）ｗ−（ＣＸ２）ｕ］ｖ−［ＣＨ２］ｚ−Ｙ
を有し、式中、Ｘは独立にＨ、Ｆ、又はＣＦ３から選択され、ＹはＣＯＯＭ又はＳＯ３Ｍであり、ｍは０〜５であり、ｎは０〜５であり、ｐは少なくとも１であり、ｑは０〜５であり、ｒは０〜５であり、ｓは０〜５であり、ｔは０〜５であり、ｕは０〜５であり、ｖは０〜５であり、ｗは０又は１であり、かつｚは０〜５であり、ｍ、ｎ、ｑ、ｓ、ｔ、ｕ、ｖ、及びｚのうちの少なくとも１つは少なくとも１であり、かつＭはＨ、アルカリ金属、又はＮＨ４であり、前記重合性フッ素化乳化剤が少なくとも１つのフッ素原子を含み、得られたポリマーは過フッ素化主鎖を含む、水性混合物。
［実施形態１２］
高フッ素化ポリマーを含むポリマーであって、前記高フッ素化ポリマーが非重合性フッ素化乳化剤を実質的に含まない、ポリマー。
【手続補正２】
【補正対象書類名】特許請求の範囲
【補正対象項目名】全文
【補正方法】変更
【補正の内容】
【特許請求の範囲】
【請求項１】
高フッ素化ポリマーの製造方法であって、
（ｉ）水性乳化重合にて重合性フッ素化乳化剤の存在下で１種以上の過フッ素化モノマーを重合して前記高フッ素化ポリマーを形成する工程であって、前記重合性フッ素化乳化剤が、
ＣＦ２＝ＣＦ−（ＣＦ２）ｍ−Ｏ−（ＣＦ２）ｐ−［Ｏ−（ＣＦ２）ｒ］ｓ−Ｙ、及び
ＣＦ２＝ＣＦ−（ＣＦ２）ｍ−Ｏ−（ＣＦ２）ｐ−［Ｏ−（ＣＦ（ＣＦ３）−ＣＦ２）］ｔ−［Ｏ−ＣＦ（ＣＦ３）］ｖ−Ｙ
（式中、ＹはＣＯＯＭ又はＳＯ３Ｍであり、ｍは０〜５から選択される整数であり、ｐは少なくとも１であり、ｒは０〜５から選択される整数であり、ｓは１〜５から選択される整数であり、ｔは１〜５から選択される整数であり、ｖは１〜５から選択される整数であり、かつＭはＨ、アルカリ金属、又はＮＨ４である）からなる群から選択され、前記重合性フッ素化乳化剤の量は、使用されるモノマーの総重量を基準として１重量％未満である、工程と、
（ｉｉ）前記高フッ素化ポリマーを単離する工程と、
を含む、高フッ素化ポリマーの製造方法。
【請求項２】
水性混合物であって、
過フッ素化モノマー及び重合性フッ素化乳化剤の重合生成物を含み、
前記重合性フッ素化乳化剤が、
ＣＦ２＝ＣＦ−（ＣＦ２）ｍ−Ｏ−（ＣＦ２）ｐ−［Ｏ−（ＣＦ２）ｒ］ｓ−Ｙ、及び
ＣＦ２＝ＣＦ−（ＣＦ２）ｍ−Ｏ−（ＣＦ２）ｐ−［Ｏ−（ＣＦ（ＣＦ３）−ＣＦ２）］ｔ−［Ｏ−ＣＦ（ＣＦ３）］ｖ−Ｙ
（式中、ＹはＣＯＯＭ又はＳＯ３Ｍであり、ｍは０〜５から選択される整数であり、ｐは少なくとも１であり、ｒは０〜５から選択される整数であり、ｓは１〜５から選択される整数であり、ｔは１〜５から選択される整数であり、ｖは１〜５から選択される整数であり、かつＭはＨ、アルカリ金属、又はＮＨ４である）からなる群から選択され、得られたポリマーは過フッ素化主鎖を含む、水性混合物。
【請求項３】
請求項１に記載の方法により得られるポリマー。
【請求項４】
さらに、（ｉｉｉ）単離された高フッ素化ポリマーをポストフッ素化する工程を含む、請求項１に記載の方法。